(57)【特許請求の範囲】
【請求項１】
所定の環境における光環境に影響を与える装置と、前記装置を制御する制御装置とからなる環境制御システムであって、
前記制御装置は、
所定の環境における輝度情報に基づいて、輝度画像を取得する取得手段と、
前記輝度画像に基づいて、前記環境における人の知覚の程度を表す見え方画像を生成する生成手段と、
前記見え方画像に基づいて、前記環境における見え方の適切さを示す指標を算出する算出手段と、
前記環境における前記光環境を人工光のみで達成するときの前記人工光の光量に対する、前記光環境を昼光を優先的に利用し前記昼光の不足分を前記人工光により補うことで達成するときの前記人工光の光量の度合と、前記環境において必要とされる適切な見え方とに応じて目標値を決定し、前記指標の値と、決定した前記目標値とを比較することにより、前記環境における見え方が適切であるか否かの評価を行う評価手段と、
前記評価手段による評価結果に基づいて前記装置を制御することにより、前記光環境を制御する制御手段と
を備えることを特徴とする環境制御システム。
【請求項２】
請求項１に記載の環境制御システムにおいて、
前記光環境に影響を与える前記装置は、
照明の光量と光色との少なくとも一方を変更可能な照明装置と、表示装置と、前記環境への導入光量を変更可能な遮光装置との少なくとも１つを含む
ことを特徴とする環境制御システム。
【請求項３】
請求項２に記載の環境制御システムにおいて、
前記光環境に影響を与える前記装置は、少なくとも前記照明装置を含み、
前記制御手段は、前記評価結果に基づいて、前記照明装置の前記光量と前記光色との少なくとも一方を変更する
ことを特徴とする環境制御システム。
【請求項４】
請求項２に記載の環境制御システムにおいて、
前記光環境に影響を与える前記装置は、少なくとも前記表示装置を含み、
前記制御手段は、前記評価結果に基づいて、前記表示装置の表示における明るさと色味との少なくとも一方を変更する
ことを特徴とする環境制御システム。
【請求項５】
請求項２に記載の環境制御システムにおいて、
前記光環境に影響を与える前記装置は、少なくとも前記遮光装置を含み、
前記制御手段は、前記評価結果に基づいて、前記遮光装置による前記導入光量を変更する
ことを特徴とする環境制御システム。
【請求項６】
請求項１に記載の環境制御システムにおいて、
前記生成手段は、前記見え方画像として、明るさ画像と、知覚色画像と、グレア画像と、視認性画像との少なくとも１つを生成する
ことを特徴とする環境制御システム。
【請求項７】
請求項６に記載の環境制御システムにおいて、
前記生成手段は、前記輝度画像のウェーブレット分解を行い、Ｊ個（Ｊは２以上の整数）のサブバンド画像を生成し、予め定めた輝度と明るさ感との関係に基づいて、前記サブバンド画像の画素ごとに輝度の値を明るさ感の値に変換し、前記輝度の値が前記明るさ感の値に変換されたＫ個（Ｋは２以上の整数；Ｋ≦Ｊ）のサブバンド画像のウェーブレット合成を行うことにより、前記明るさ画像を生成する
ことを特徴とする環境制御システム。
【請求項８】
請求項６に記載の環境制御システムにおいて、
前記生成手段は、心理物理色の分布を表す画像である前記輝度画像に基づいてウェーブレット分解を行い、１段階以上の分解レベルのサブバンド画像を生成し、予め定めた心理物理色と知覚色との関係に基づいて、前記サブバンド画像の各画素の値を心理物理色の値から知覚色の値に変換し、変換後の１段階以上の分解レベルのサブバンド画像に基づいてウェーブレット合成を行うことにより、知覚色の分布を表す画像として前記知覚色画像を生成する
ことを特徴とする環境制御システム。
【請求項９】
請求項７に記載の環境制御システムにおいて、
前記生成手段は、前記明るさ画像に視点を設定し、前記明るさ画像のうち前記視点の周囲に位置する画素から前記視点への明るさの寄与に基づいて、前記視点におけるグレア評価値を算出し、算出した前記グレア値に基づいて、前記グレア画像を生成する
ことを特徴とする環境制御システム。
【請求項１０】
請求項６に記載の環境制御システムにおいて、
前記生成手段は、前記輝度画像に含まれる複数の空間周波数成分を抽出するウェーブレット分解を行い、抽出した前記複数の空間周波数成分各々の各画素における前記空間周波数成分の変化率を示す１次微分量を算出し、前記複数の空間周波数成分各々の前記１次微分量を用いてウェーブレット合成を行うことにより、前記視認性画像を生成する
ことを特徴とする環境制御システム。
【請求項１１】
請求項１に記載の環境制御システムにおいて、
前記算出手段は、前記見え方画像の全体に基づいて、光の不足感を示す前記指標を算出する
ことを特徴とする環境制御システム。
【請求項１２】
請求項１に記載の環境制御システムにおいて、
前記算出手段は、前記見え方画像のうち、所定の領域に基づいて、光の不足感を示す前記指標を算出する
ことを特徴とする環境制御システム。
【請求項１３】
請求項１に記載の環境制御システムにおいて、
前記制御手段は、前記光環境に影響を与える前記装置として、昼光にかかわる装置と、それ以外の装置とを含む複数の装置を有する場合に、前記昼光を、前記昼光以外の光よりも優先的に前記環境に取り込むように複数の前記装置を制御する
ことを特徴とする環境制御システム。
【請求項１４】
所定の環境における光環境に影響を与える装置と、前記装置を制御する制御装置とからなる環境制御システムを制御する環境制御プログラムであって、
所定の環境における輝度情報に基づいて、輝度画像を取得する取得手順と、
前記輝度画像に基づいて、前記環境における人の知覚の程度を表す見え方画像を生成する生成手順と、
前記見え方画像に基づいて、前記環境における見え方の適切さを示す指標を算出する算出手順と、
前記環境における前記光環境を人工光のみで達成するときの前記人工光の光量に対する、前記光環境を昼光を優先的に利用し前記昼光の不足分を前記人工光により補うことで達成するときの前記人工光の光量の度合と、前記環境において必要とされる適切な見え方とに応じて目標値を決定し、前記指標の値と、決定した前記目標値とを比較することにより、前記環境における見え方が適切であるか否かの評価を行う評価手順と、
前記評価手順における評価結果に基づいて前記装置を制御することにより、前記光環境を制御する制御手順と
をコンピュータに実行させるための環境制御プログラム。
【発明の詳細な説明】
【技術分野】
【０００１】
本発明は、環境制御システムおよび環境制御プログラムに関する。
【背景技術】
【０００２】
従来より、照度センサや輝度センサを用いて照明を制御する方法が考えられている。例えば、特許文献１の発明では、照度計により屋外の日射状態を取得し、取得した日射状態と照明の状態等に基づいてシミュレートを行って、遮蔽手段の開閉度を調節する技術が開示されている。
【先行技術文献】
【特許文献】
【０００３】
【特許文献１】特開２００７−１２００９０号公報
【発明の概要】
【発明が解決しようとする課題】
【０００４】
しかしながら、人の眼には順応という能力がある。そのため、ある環境の光に慣れ、光があふれた環境（例えば昼の屋外環境）では、大量の光が供給されてもあまり明るく感じられないのに対し、光の少ない環境（例えば夜の暗い環境）では、少しの光があればとても明るく感じられることになる。つまり、光に対する人の反応（不快か、眩しいかなど）は、その人の眼がどのような状態に順応しているかによって変化するため、照度や輝度といった物理量だけでは予測できない。しかしながら、従来技術では眼の順応状態を計算によって推測することができず、人の評価に合わせて適切に照明を制御することができなかった。一方、順応の状況を加味した明るさ尺度値や知覚色を用いれば、光に対する反応を正しく推測することができ、人にとって好ましい制御が可能となる。
【０００５】
本発明は、上記問題に鑑みてなされたものであり、人の眼の順応を考慮して、最適な環境制御を行うことを目的とする。
【課題を解決するための手段】
【０００６】
本発明の環境制御システムは、所定の環境における光環境に影響を与える装置と、前記装置を制御する制御装置とからなる環境制御システムであって、前記制御装置は、所定の環境における輝度情報に基づいて、輝度画像を取得する取得手段と、前記輝度画像に基づいて、前記環境における人の知覚の程度を表す見え方画像を生成する生成手段と、前記見え方画像に基づいて、前記環境における見え方の適切さを示す指標を算出する算出手段と、前記環境における前記光環境を人工光のみで達成するときの前記人工光の光量に対する、前記光環境を昼光を優先的に利用し前記昼光の不足分を前記人工光により補うことで達成するときの前記人工光の光量の度合と、前記環境において必要とされる適切な見え方とに応じて目標値を決定し、前記指標の値と、決定した前記目標値とを比較することにより、前記環境における見え方が適切であるか否かの評価を行う評価手段と、前記評価手段による評価結果に基づいて前記装置を制御することにより、前記光環境を制御する制御手段とを備える。
【０００７】
なお、前記光環境に影響を与える前記装置は、照明の光量と光色との少なくとも一方を変更可能な照明装置と、表示装置と、前記環境への導入光量を変更可能な遮光装置との少なくとも１つを含んでも良い。
【０００８】
また、前記光環境に影響を与える前記装置は、少なくとも前記照明装置を含み、前記制御手段は、前記評価結果に基づいて、前記照明装置の前記光量と前記光色との少なくとも一方を変更しても良い。
【０００９】
また、前記光環境に影響を与える前記装置は、少なくとも前記表示装置を含み、前記制御手段は、前記評価結果に基づいて、前記表示装置の表示における明るさと色味との少なくとも一方を変更しても良い。
【００１０】
また、前記光環境に影響を与える前記装置は、少なくとも前記遮光装置を含み、前記制御手段は、前記評価結果に基づいて、前記遮光装置による前記導入光量を変更しても良い。
【００１１】
また、前記生成手段は、前記見え方画像として、明るさ画像と、知覚色画像と、グレア画像と、視認性画像との少なくとも１つを生成しても良い。
【００１２】
また、前記生成手段は、前記輝度画像のウェーブレット分解を行い、Ｊ個（Ｊは２以上の整数）のサブバンド画像を生成し、予め定めた輝度と明るさ感との関係に基づいて、前記サブバンド画像の画素ごとに輝度の値を明るさ感の値に変換し、前記輝度の値が前記明るさ感の値に変換されたＫ個（Ｋは２以上の整数；Ｋ≦Ｊ）のサブバンド画像のウェーブレット合成を行うことにより、前記明るさ画像を生成しても良い。
【００１３】
また、前記生成手段は、心理物理色の分布を表す画像である前記輝度画像に基づいてウェーブレット分解を行い、１段階以上の分解レベルのサブバンド画像を生成し、予め定めた心理物理色と知覚色との関係に基づいて、前記サブバンド画像の各画素の値を心理物理色の値から知覚色の値に変換し、変換後の１段階以上の分解レベルのサブバンド画像に基づいてウェーブレット合成を行うことにより、知覚色の分布を表す画像として前記知覚色画像を生成しても良い。
【００１４】
また、前記生成手段は、前記明るさ画像に視点を設定し、前記明るさ画像のうち前記視点の周囲に位置する画素から前記視点への明るさの寄与に基づいて、前記視点におけるグレア評価値を算出し、算出した前記グレア値に基づいて、前記グレア画像を生成しても良い。
【００１５】
また、前記生成手段は、前記輝度画像に含まれる複数の空間周波数成分を抽出するウェーブレット分解を行い、抽出した前記複数の空間周波数成分各々の各画素における前記空間周波数成分の変化率を示す１次微分量を算出し、前記複数の空間周波数成分各々の前記１次微分量を用いてウェーブレット合成を行うことにより、前記視認性画像を生成しても良い。
【００１６】
また、前記算出手段は、前記見え方画像の全体に基づいて、光の不足感を示す前記指標を算出しても良い。
【００１７】
また、前記算出手段は、前記見え方画像のうち、所定の領域に基づいて、光の不足感を示す前記指標を算出しても良い。
【００１８】
また、前記制御手段は、前記光環境に影響を与える前記装置として、昼光にかかわる装置と、それ以外の装置とを含む複数の装置を有する場合に、前記昼光を、前記昼光以外の光よりも優先的に前記環境に取り込むように複数の前記装置を制御しても良い。
【００１９】
なお、上記発明に関する構成を、所定の環境における光環境に影響を与える装置と、装置を制御する制御装置とからなる環境制御システムを制御する環境制御プログラムに変換して表現したものも本発明の具体的態様として有効である。
【発明の効果】
【００２０】
本発明によれば、人の眼の順応を考慮して、最適な環境制御を行うことができる。
【図面の簡単な説明】
【００２１】
【図１】第１実施形態の環境制御システムの構成を示すブロック図
【図２】第１実施形態の環境について説明する図
【図３】第１実施形態の環境について説明する上面図
【図４】第１実施形態の環境制御システムの動作を示すフローチャート
【図５】照明条件と照度との関係を示すグラフ
【図６】明るさ尺度値について説明する図
【図７】照明条件と明るさ尺度値との関係を示すグラフ
【図８】不足感について説明する図
【図９】第２実施形態の環境制御システムの構成を示すブロック図
【図１０】第２実施形態の環境について説明する図
【図１１】第２実施形態の環境について説明する上面図
【発明を実施するための形態】
【００２２】
＜第１実施形態＞
以下、図面を用いて本発明の第１実施形態について説明する。図１は、第１実施形態の環境制御システムの構成例を示すブロック図である。第１実施形態では、所定の環境として、屋内の環境における光環境を制御する環境制御システムを例に挙げて説明する。
【００２３】
第１実施形態の環境制御システムは、コンピュータ１１と、カメラ３１と、照明部４１と、ブラインド５１とから構成される。
【００２４】
コンピュータ１１は、カメラ３１と有線または無線で相互に接続され、カメラ３１を制御するとともに、カメラ３１により生成される画像の画像データを取得する。また、コンピュータ１１は、照明部４１の各部およびブラインド５１と有線または無線で接続され、照明部４１の各部およびブラインド５１を制御する。
【００２５】
コンピュータ１１は、環境制御システムの各部を制御する制御プログラムがインストールされたコンピュータである。コンピュータ１１は、図１に示すように、データ読込部１２、記憶装置１３、ＣＰＵ１４、メモリ１５および入出力Ｉ／Ｆ１６、バス１７を有している。データ読込部１２、記憶装置１３、ＣＰＵ１４、メモリ１５および入出力Ｉ／Ｆ１６は、バス１７を介して相互に接続されている。さらに、コンピュータ１１には、入出力Ｉ／Ｆ１６を介して、入力デバイス１８（キーボード、ポインティングデバイスなど）とモニタ１９とがそれぞれ接続されている。なお、入出力Ｉ／Ｆ１６は、入力デバイス１８からの各種入力を受け付けるとともに、モニタ１９に対して表示用のデータを出力する。
【００２６】
データ読込部１２は、画像のデータや、上記の制御プログラムを外部から読み込むときに用いられる。例えば、データ読込部１２は、着脱可能な記憶媒体からデータを取得する読込デバイス（光ディスク、磁気ディスク、光磁気ディスクの読込装置など）や、公知の通信規格に準拠して外部の装置と通信を行う通信デバイス（ＵＳＢインターフェース、ＬＡＮモジュール、無線ＬＡＮモジュールなど）で構成される。
【００２７】
記憶装置１３は、例えば、ハードディスクや、不揮発性の半導体メモリなどの記憶媒体で構成される。記憶装置１３には、制御プログラムや、プログラムの実行に必要となる各種のデータが記録されている。
【００２８】
ＣＰＵ１４は、コンピュータ１１の各部を統括的に制御するプロセッサである。このＣＰＵ１４は、上記の制御プログラムの実行によって、見え方画像生成部２１と、見え方指標算出部２２と、評価部２３としてそれぞれ機能する（見え方画像生成部２１、見え方指標算出部２２、評価部２３の各動作は後述する）。
【００２９】
メモリ１５は、制御プログラムでの各種演算結果を一時的に記憶する。このメモリ１５は、例えば揮発性のＳＤＲＡＭなどで構成される。
【００３０】
カメラ３１は、上述した屋内の環境における輝度情報に基づいて、輝度画像を取得するための装置である。カメラ３１は、ある特定の方向から入射する光を計る輝度センサ、入射する光の総量を計る照度センサ等を備え、輝度画像を生成する。
【００３１】
照明部４１およびブラインド５１は、屋内の環境における光環境に影響を与える各装置である。
【００３２】
照明部４１は、蛍光灯Ａ４２、蛍光灯Ｂ４３、蛍光灯Ｃ４４、蛍光灯Ｄ４５、フロアライト４６、タスクライト４７の各部を備える。なお、照明部４１の各部における照明の光量は、コンピュータ１１により制御可能である。
【００３３】
ブラインド５１は、屋内の環境への導入光量を変更可能な遮光装置である。なお、ブラインド５１は、上下方向に昇降可能であるとともに、複数のスラットを有し、スラットの角度を変更することが可能である。ブラインド５１による導入光量は、上述した昇降およびスラットの角度変更をコンピュータ１１により制御することで変更可能である。
【００３４】
上述した屋内の環境について、図２および図３を参照して説明する。第１実施形態では、屋内の環境として、図２および図３に示すオフィス内の光環境を制御する場合を例に挙げて説明する。
【００３５】
図２に示すように、オフィスには正面にデスクＤが配置され、デスクＤに向かって右側の壁面に窓Ｗが配置される。また、天井には、上述した蛍光灯Ａ４２〜蛍光灯Ｄ４５が設置される。さらに、デスクＤに向かって左側前方の床面には、上述したフロアライト４６が配置され、デスクＤの左側側面近傍には、上述したタスクライト４７が配置される。
【００３６】
図３は、図２に示したオフィスの上部からの見取り図である。図３に示すように、カメラ３１は、蛍光灯Ｄ４５の下部に、デスクＤに向かって配置される。また、窓Ｗに沿ってブラインド５１が配置される。
【００３７】
カメラ３１は、図２および図３に示すオフィスの環境における輝度情報に基づいて、輝度画像を取得する装置である。なお、本環境制御システムは、作業者の視野における光環境を制御するためのものであるため、カメラ３１の配置位置および配置の向きは、上述した作業者の視野に対応するものであることが好ましい。また、図３は、カメラ３１により取得される輝度画像の画角に対応するオフィスの範囲を図示したものである。
【００３８】
なお、窓Ｗからの昼光は、時刻や天候の変化、季節の違いによって流入量が時々刻々変化する。そのため、カメラ３１により取得される輝度画像は刻々と変化する。
【００３９】
以上説明した構成の環境制御システムの動作について、図４に示すフローチャートを参照して説明する。
【００４０】
ステップＳ１において、ＣＰＵ１４は、入出力Ｉ／Ｆ１６を介してカメラ３１を制御して輝度画像を取得し、カメラ３１により取得した輝度画像を入出力Ｉ／Ｆ１６を介して取り込む。
【００４１】
ここで、輝度画像とは、例えば、ＸＹＺ表色系とＬ*ａ*ｂ* 表色系とのうち、心理物理色の表色系（測光量を基準にした表色系）の１つであるＸＹＺ表色系に関する画像である。輝度画像は、心理物理色の分布を表す画像であり、例えば、３刺激値(Ｘ,Ｙ,Ｚ)の各々に対応する３枚の画像（Ｘ画像,Ｙ画像,Ｚ画像）である。
【００４２】
ステップＳ２において、ＣＰＵ１４は、ステップＳ１で取得した輝度画像に基づいて、見え方画像生成部２１により、見え方画像を生成する。ここで、見え方画像生成部２１は、見え方画像として、明るさ画像を生成する。見え方画像生成部２１は、輝度画像のウェーブレット分解を行い、Ｊ個（Ｊは２以上の整数）のサブバンド画像を生成し、予め定めた輝度と明るさ感との関係に基づいて、サブバンド画像の画素ごとに輝度の値を明るさ感の値に変換し、輝度の値が前記明るさ感の値に変換されたＫ個（Ｋは２以上の整数；Ｋ≦Ｊ）のサブバンド画像のウェーブレット合成を行うことにより、明るさ画像を生成する。なお、輝度画像に基づいて明るさ画像を生成する具体的な方法については、発明者らが再公表ＷＯ２００６／１３２０１４において詳細に開示している。
【００４３】
ステップＳ３において、ＣＰＵ１４は、ステップＳ２で生成した見え方画像に基づいて、見え方指標算出部２２により、見え方指標を算出する。ここで、見え方指標算出部２２は、見え方指標として、明るさ尺度値と、光の不足感とを算出する。
【００４４】
見え方指標算出部２２は、ステップＳ２において、以下の（ａ）および（ｂ）の２つの指標を算出する。
【００４５】
（ａ）明るさ尺度値（ＮＢ）
見え方指標算出部２２は、１つ目の指標として、図２および図３を参照して説明したオフィス内に配置されたデスクＤの机上に置かれた紙面（図２中紙面Ｐ参照）を対象に上述した明るさ尺度値を算出する。ここで、紙面Ｐは、作業者による主な視対象の一例である。また、明るさ尺度値は、作業者が上述した紙面Ｐの文字を見た時に、光の不足を感じるかどうかの程度を示す指標である。
【００４６】
図５は、作業者の視野内の輝度分布と、紙面Ｐの文字を見て作業者が作業をする際に、光の不足を感じないぎりぎりの机上面の照度との関係を示すグラフである。図５に示す照明条件１から５は、複数の照明装置（本実施形態では蛍光灯Ａ４２〜蛍光灯Ｄ４５、フロアライト４６、タスクライト４７）の照明内容や、遮光装置（本実施形態では、ブラインド５１）による遮光の条件の組み合わせを様々に変化させた複数の照明条件（輝度条件）である。照明条件を変更すると、上述した作業者の視野内の輝度分布も変化する。図５に示すように、照明条件１から５において、光の不足を感じないぎりぎりの机上面の照度は２００ｌｘから５００ｌｘ程度の範囲で変化する。
【００４７】
明るさ尺度値は、ステップＳ２で生成した明るさ画像の画素値（明るさ感の値）である。本実施形態において明るさ尺度値は、１〜１３の範囲の連続的な数値（１〜１３）として得られる。明るさ尺度値１が最も暗く（非常に暗い）、明るさ尺度値１３が最も明るい（非常に明るい）ことを示す。図６に、明るさ尺度値と、明るさ尺度値が示す明るさ感との関係を例示する。
【００４８】
図７は、図５で説明した照明条件１から５と、明るさ尺度値との関係を示すグラフである。図７に示すように、明るさ画像から求めた明るさ尺度値は、照明条件、すなわち、輝度分布の違いにかかわらず、略一定の値（８．５〜９．５程度）を示す。そのため、明るさ尺度値を用いて、紙面Ｐの文字を見て作業をする際の、見え方の適切さを評価することができる（詳細は後述する）。
【００４９】
見え方指標算出部２２は、ステップＳ２で生成した明るさ画像の各画素から代表値を算出し、明るさ尺度値（ＮＢ）とする。なお、代表値は、平均値、最大値、最小値等であっても良いし、標準偏差、分布のひずみ度、分布のとがり度、ヒストグラムなどに基づいて算出されても良い。
【００５０】
（ｂ）不足感Ｆ
見え方指標算出部２２は、２つ目の指標として、図２および図３を参照して説明したオフィス全体を対象に、上述した不足感Ｆを算出する。不足感Ｆは、作業者が上述したオフィス全体を眺めた時に、光の不足を感じるかどうかの程度を示す指標である。
【００５１】
見え方指標算出部２２は、まず、ステップＳ２で生成した明るさ画像に基づいて、以下の３つの値を画像内領域率として算出する。
・ＡＲ４〜６（％）・・・明るさ尺度値が４〜６（ＮＢ）である領域の、全体に対する面積比
・ＡＲ６〜７（％）・・・明るさ尺度値が６〜７（ＮＢ）である領域の、全体に対する面積比
・ＡＲ７〜８（％）・・・明るさ尺度値が７〜８（ＮＢ）である領域の、全体に対する面積比
上述した図６に、各画像内領域率と明るさ尺度値との対応関係を示す。
【００５２】
次に、見え方指標算出部２２は、算出した３つの画像内領域率の値に基づいて、不足感Ｆを算出する。評価部２３は、算出した３つの画像内領域率のうち、ＡＲ４〜６＜６２．５（％）である場合には、次式に基づいて、不足感Ｆを算出する。
【００５３】
【数１】
0005579649.tif 000002
一方、算出した画像内領域率のうち、ＡＲ４〜６≧６２．５（％）である場合には、評価部２３は、次式に基づいて、不足感Ｆを算出する。
【００５４】
【数２】
0005579649.tif 000003
式１および式２において、各項の値は予め実験により求められる値である。
【００５５】
本実施形態の不足感Ｆは、０〜６の範囲の連続的な数値（０〜６）として得られる。不足感Ｆ＝６である場合が最も暗く（不足感を非常に感じる）、不足感Ｆ＝０である場合が最も明るい（不足感を感じない）ことを示す。図８に、不足感Ｆと、不足感Ｆが示す程度との関係を例示する。この不足感Ｆを用いて、オフィス全体に関する見え方の適切さを評価することができる（詳細は後述する）。
【００５６】
ステップＳ４において、ＣＰＵ１４は、ステップＳ３で算出した見え方指標に基づいて、評価部２３により、見え方の評価を行う。
【００５７】
（ａ）明るさ尺度値
評価部２３は、ステップＳ３で算出した明るさ尺度値に基づいて、評価を行う。
【００５８】
例えば、ステップＳ３で算出した明るさ尺度値が、９（ＮＢ）である場合、評価部２３は、見え方が適切であると評価する。
【００５９】
また、ステップＳ３で算出した明るさ尺度値が、９（ＮＢ）未満である場合、評価部２３は、明るさが不十分であるため、見え方が不適切であると評価する。また、ステップＳ３で算出した明るさ尺度値が、９（ＮＢ）を超える場合、評価部２３は、明る過ぎるため、見え方が不適切であると評価する。
【００６０】
なお、上述の例では、明るさ尺度値が、９（ＮＢ）である場合に、見え方が適切であると評価する例を示したが、作業者の好みや、省エネルギーの度合などに応じて、適切と評価する明るさ尺度値の目標値を変更しても良い。また、適切と評価する明るさ尺度値に幅を持たせて、例えば、明るさ尺度値が、８．５〜９．５（ＮＢ）の範囲である場合に、見え方が適切であると評価しても良い。
【００６１】
（ｂ）不足感Ｆ
評価部２３は、ステップＳ３で算出した不足感Ｆに基づいて、評価を行う。
【００６２】
例えば、ステップＳ３で算出した不足感Ｆが、２未満である場合、評価部２３は、見え方が適切であると評価する。
【００６３】
一方、ステップＳ３で算出した不足感Ｆが、２以上である場合、評価部２３は、明るさが不十分であるため、見え方が不適切であると評価する。
【００６４】
なお、上述の例では、不足感Ｆが、２未満である場合に、見え方が適切であると評価する例を示したが、作業者の好みや、省エネルギーの度合などに応じて、適切と評価する不足感Ｆの目標値を変更しても良い。
【００６５】
ステップＳ５において、ＣＰＵ１４は、ステップＳ４で行った評価結果に基づいて、制御が必要か否かを判定する。ＣＰＵ１４は、制御が必要と判定するとステップＳ６に進み、制御が不要と判定すると後述するステップＳ８に進む。
【００６６】
（ａ）明るさ尺度値
ＣＰＵ１４は、ステップＳ４で行った評価において、明るさが不十分であるか、または、明る過ぎるため、見え方が不適切であると評価した場合には、制御が必要と判定し、それ以外の場合には、制御不要と判定する。
【００６７】
（ｂ）不足感Ｆ
ＣＰＵ１４は、ステップＳ４で行った評価において、不足感Ｆが２以上であり、明るさが不十分であるため、見え方が不適切であると評価した場合には、制御が必要と判定し、それ以外の場合には、制御不要と判定する。
【００６８】
ステップＳ６において、ＣＰＵ１４は、ステップＳ４で行った評価結果に基づいて、制御内容を決定する。
【００６９】
ここで、ＣＰＵ１４が、制御内容として決定する項目は以下の通りである。
・蛍光灯Ａ４２〜蛍光灯Ｄ４５の照明光量
・フロアライト４６の照明光量
・タスクライト４７の照明光量
・ブラインド５１の昇降
・ブラインド５１のスラットの角度
ＣＰＵ１４は、ステップＳ３で算出した見え方指標と、制御の対象となる環境ごとに予め定められた目標値とを比較することにより、上述した各項目の制御量を決定する。なお、上記した目標値は、制御の対象となる環境（オフィス、住宅（リビング、ダイニング、寝室など）、屋外の住宅街路、繁華街など）ごとに、予め実験などにより求めた見え方の適切さ評価に基づく値であり、光環境の設計仕様（設計目標値）に相当する。
【００７０】
例えば、上述した明るさ尺度値が、９（ＮＢ）未満である場合、評価部２３は、明るさが不十分であるため、ブラインド５１を介した昼光の供給量を増やすようにスラットの角度を決定する。
【００７１】
なお、ＣＰＵ１４は、各項目の制御量を決定する際に、昼光を、昼光以外の光（照明装置などによる人工光など）よりも優先的に環境に取り込むように、各項目の制御内容を決定する。すなわち、まず、自然光である昼光にかかわる装置の制御量を優先的に決定し、制御の不足分を昼光以外の光にかかわる装置に関する制御量で補う。このように制御内容を決定することにより、省エネルギーを実現しつつ、作業者にとって快適な光環境を実現することができる。
【００７２】
例えば、第１実施形態においては、まず、ブラインド５１の制御量を優先的に決定して明るさの向上に努め、それでも十分な明るさを得られない場合に、全般照明である蛍光灯Ａ４２〜蛍光灯Ｄ４５や局部照明であるフロアライト４６やタスクライト４７の制御量を補足的に決定すると良い。
【００７３】
ステップＳ７において、ＣＰＵ１４は、ステップＳ６で決定した制御内容にしたがって、照明部４１の各部およびブラインド５１の制御を行う。そして、制御を終了すると、ステップＳ１に戻る。すなわち、ＣＰＵ１４は、輝度画像の取得から各部の制御を繰り返し行う。
【００７４】
ステップＳ５において、制御が不要であると判定すると、ステップＳ８において、ＣＰＵ１４は、所定の時間が経過したか否かを判定する。ＣＰＵ１４は、不図示のタイマにより、前回輝度画像を取得してから所定の時間が経過するまで待機し、所定の時間が経過したと判定するとステップＳ１に戻る。なお、所定の時間は、予め定められた時間であっても良いし、作業者により指定された時間であっても良い。
【００７５】
図４のフローチャートを参照した一連の処理により、ＣＰＵ１４は、時々刻々と変化する光環境に応じた輝度画像を取得し、取得した輝度画像に基づいて照明部４１やブラインド５１を制御する。
【００７６】
以上説明したように、第１実施形態によれば、所定の環境における輝度情報に基づいて、輝度画像を取得し、取得した輝度画像に基づいて、環境における人の知覚の程度を表す見え方画像を生成する。そして、生成した見え方画像に基づいて、環境における見え方の適切さを示す指標を算出し、算出した指標の値と予め定められた目標値とを比較することにより見え方の適切さ評価を行い、評価結果に基づいて、所定の環境における光環境に影響を与える装置を制御する。したがって、人の知覚の程度に応じた見え方画像に基づいて制御を行うことにより、人の眼の順応を考慮して、最適な環境制御を行うことができる。
【００７７】
特に、第１実施形態によれば、天候や日時によって光量や光色が変化する昼光が流入する環境など、どのような環境であっても、その環境で必要とされる適切な見え方を、常時実現することができる。
【００７８】
また、第１実施形態によれば、光環境に影響を与える装置として、昼光にかかわる装置と、それ以外の装置とを含む複数の装置を有する場合に、昼光を、昼光以外の光よりも優先的に環境に取り込むように複数の装置を制御する。したがって、自然光である昼光を優先的に利用し、自然光以外の人工光の利用をなるべく抑えることにより、省エネルギーを実現しつつ、作業者にとって快適な光環境を実現することができる。一般に、昼光を導入しすぎると、環境内にいる人の眼の順応状態が上がり、人工光（常に点灯している照明装置や、輝度が一定の表示装置など）が暗く見え、適切な見え方にするために、これらの装置における明るさを明るく（光を強く）したいという要望が出ることがある。しかし、このような制御では、省エネルギーを意図して昼光を導入した意図に対して逆の効果が発生することになる。しかし、第１実施形態のように、見え方画像に基づいて制御を行うことにより、人の眼の順応を考慮して、光環境を制御することにより、その環境で必要とされる適切な見え方を、常時実現することができる。
【００７９】
なお、第１実施形態では、輝度画像を取得する手段として、カメラ３１を例に挙げて説明したが、本発明はこの例に限定されない。例えば、２次元色彩輝度計や、特性の異なる複数のセンサを有する撮像装置などであっても良い。また、カメラ３１を備える代わりに照度センサなどのセンサを備え、その出力に基づいて輝度分布を推定することにより輝度画像を取得（生成）しても良い。
【００８０】
また、第１実施形態では、環境制御システムに、１台のカメラを含む例を説明したが、２台以上のカメラを含む構成としても良い。このような場合には、複数のカメラにより取得した複数の輝度画像に基づいて、総合的な判定を行って光環境を制御すれば良い。
【００８１】
さらに、第１実施形態では、カメラ３１により取得される輝度画像の画角は固定である例を説明したが、本発明はこの例に限定されない。例えば、太陽の日周運動に合わせてカメラ３１の向きを変更しても良い。また、カメラ３１がズーム機能を備える場合には、輝度画像の画角が適宜変化するように、ズーム処理を行っても良い。
【００８２】
また、第１実施形態では、図４のフローチャートのステップＳ２において、見え方画像として明るさ画像を生成する例を示したが、本発明はこの例に限定されない。例えば、明るさ画像以外の見え方画像として、知覚色画像、グレア画像、視認性画像などを生成しても良い。各画像の特徴や各画像を用いた制御について以下に示す。
【００８３】
（Ａ）知覚色画像
知覚色画像は、人の知覚の程度に応じた見え方画像の１つであり、上述した明るさ画像と、色感画像とからなる。色感画像とは、例えば、ＸＹＺ表色系とＬ*ａ*ｂ* 表色系とのうち、知覚色の表色系（反射特性を基準にした表色系）の１つであるＬ*ａ*ｂ*表色系に関する画像である。色感画像は、知覚色の分布を表す画像であり、例えば、知覚色度（ａ*ｂ*）の各々に対応する２枚の画像（ＲＧ画像,ＢＹ画像）である。
【００８４】
見え方画像生成部２１は、輝度画像に基づいてウェーブレット分解を行い、１段階以上の分解レベルのサブバンド画像を生成し、予め定めた心理物理色と知覚色との関係に基づいて、サブバンド画像の各画素の値を心理物理色の値から知覚色の値に変換し、変換後の１段階以上の分解レベルのサブバンド画像に基づいてウェーブレット合成を行うことにより、知覚色の分布を表す画像として色感画像を含む知覚色画像を生成する。なお、色感画像を生成する具体的な方法については、発明者らが再公表ＷＯ２００７／１２２７６６において詳細に開示している。
【００８５】
なお、上述した再公表ＷＯ２００７／１２２７６６においては、輝度画像から測光色画像を生成し、測光色画像に基づいて、上述した知覚色画像（明るさ画像と、色感画像とからなる）を生成する例が示されている。この測光色画像は、輝度画像から生成されても良いし、照度センサ、色温度センサなどの出力に基づいて生成されても良い。
【００８６】
見え方指標算出部２２は、生成した知覚色画像に基づいて、明るさ尺度値と同様の指標や、不足感Ｆと同様の見え方指標を算出し（図４ステップＳ３）、評価部２３は、算出した指標に基づいて評価を行う（図４ステップＳ４）ことにより、第１実施形態と同様の処理を行うことができる。
【００８７】
なお、ＣＰＵ１４は、制御内容を決定する（図４ステップＳ６）際には、照明装置の照明光量の代わりに照明装置による照明の色味を変更しても良いし、照明装置の照明光量に加えて、照明装置による照明の色味を変更しても良い。
【００８８】
（Ｂ）グレア画像
グレア画像は、人の知覚の程度に応じた見え方画像の１つであり、上述した明るさ画像に基づいて生成される。グレア画像とは、まぶしさに関する画像である。見え方画像生成部２１は、明るさ画像に視点を設定し、明るさ画像のうち視点の周囲に位置する画素から視点への明るさの寄与に基づいて、視点におけるグレア評価値を算出し、算出したグレア値に基づいて、グレア画像を生成する。なお、グレア画像を生成する具体的な方法については、発明者らが特開２００７−２９２６６５号公報において詳細に開示している。
【００８９】
見え方指標算出部２２は、生成したグレア画像に基づいて、明るさ尺度値と同様の指標や、不足感Ｆと同様の見え方指標を算出し（図４ステップＳ３）、評価部２３は、算出した指標に基づいて評価を行う（図４ステップＳ４）ことにより、第１実施形態と同様の処理を行うことができる。
【００９０】
例えば、第１実施形態の図２および図３で例示したように、外部から昼光が入射する環境においては、外部の輝度が高すぎる場合や、直射日光が外部から入射する場合に、作業者はまぶしさを感じる。そこで、カメラ３１により、例えば、窓近傍の輝度画像を常時取得し、取得した輝度画像からグレア画像を生成する。そして、生成したグレア画像に基づいて見え方評価値を算出し、見え方の評価を行うことにより、まぶしさを考慮した光環境の制御を行うことができる。なお、見え方の評価に際しては、例えば、グレア画像に基づくＵＧＲ値が所定の値（例えば、ＵＧＲ値＝１８）以上である場合に、まぶし過ぎる（明る過ぎる）ため、見え方が不適切であると評価することができる。
【００９１】
（Ｃ）視認性画像
視認性画像は、人の知覚の程度に応じた見え方画像の１つであり、上述した輝度画像に基づいて生成される。視認性画像とは、例えば、新聞の文字やモニタに表示された文字等の対象物における視認性に関する画像である。見え方画像生成部２１は、輝度画像に含まれる複数の空間周波数成分を抽出するウェーブレット分解を行い、抽出した複数の空間周波数成分各々の各画素における空間周波数成分の変化率を示す１次微分量を算出し、複数の空間周波数成分各々の１次微分量を用いてウェーブレット合成を行うことにより、視認性画像を生成する。なお、視認性画像を生成する具体的な方法については、発明者らが特開２００９−１８１３２４号公報において詳細に開示している。
【００９２】
見え方指標算出部２２は、生成した視認性画像に基づいて、明るさ尺度値と同様の指標や、不足感Ｆと同様の見え方指標を算出し（図４ステップＳ３）、評価部２３は、算出した指標に基づいて評価を行う（図４ステップＳ４）ことにより、第１実施形態と同様の処理を行うことができる。
【００９３】
なお、図４のステップＳ２において見え方画像を生成する際に、第１実施形態で説明した明るさ画像と、上述した知覚色画像、グレア画像、視認性画像のうち、２種類以上の見え方画像を生成しても良い。このような場合、図４のステップＳ３においては、それぞれの見え方画像ごとに見え方指標を算出しても良いし、複数の見え方画像を加味して、見え方指標の代表値を算出しても良い。また、図４のステップＳ４においては、それぞれの見え方指標について評価を行っても良いし、複数の見え方指標を加味して、総合的な評価を行っても良い。
【００９４】
また、第１実施形態では、図４のフローチャートのステップＳ３において、見え方指標として、明るさ尺度値と不足感Ｆとの２つの指標を算出する例を示したが、本発明はこの例に限定されない。例えば、明るさ尺度値と不足感Ｆとのいずれか一方のみを算出しても良い。また、見え方画像に基づいて、第１実施形態で説明した明るさ尺度値および不足感Ｆ以外の指標を算出しても良い。
【００９５】
また、第１実施形態の図４のフローチャートのステップＳ４で説明した評価の内容は一例であり、評価方法や、評価時の目標値などはこの例に限定されない。
【００９６】
また、第１実施形態の図４のフローチャートのステップＳ６で説明した制御内容の決定の仕方の一例であり、本発明はこの例に限定されない。
【００９７】
また、第１実施形態では、図４のフローチャートのステップＳ７において、ステップＳ６で決定した制御内容に応じた制御を自動で行う例を示したが、本発明はこの例に限定されない。例えば、制御を行う前に、モニタ１９などを利用して、作業者に、ステップＳ６で決定した制御内容を報知し、作業者の許可を得てから実際の制御を行う構成としても良い。また、例えば、図４のフローチャートのステップＳ６において決定した制御内容をメモリ１５や記憶装置１３などに記憶しておき、作業者による要望があった場合に、これらの内容を読み出して制御を行っても良い。
【００９８】
また、第１実施形態では、屋内の環境の例として、図２および図３に示したオフィスを例示して説明を行ったが、本発明はこの例に限定されない。照明装置や遮光装置の組み合わせが異なるオフィスであっても良いし、一般的な住宅の各部屋や、美術館などの環境であっても良い。いずれの場合も、図４のフローチャートのステップＳ３においては、その環境を評価にするのに好適な見え方指標を算出し、ステップＳ４においては、その環境にふさわしい見え方に応じて評価を行えば良い。
【００９９】
例えば、住宅のリビングルームでは、供給される光の量が多過ぎるとまぶしく、落ち着いた印象がなくなる。そこで、例えば、図４のフローチャートのステップＳ３においては、窓辺近辺の明るさに関する見え方指標を算出し、ステップＳ４においては、リビングルームとしてふさわしい落ち着いた雰囲気に相当する見え方を目標値として評価を行えば良い。
【０１００】
また、第１実施形態では、照明装置として、図２および図３において、蛍光灯Ａ４２〜蛍光灯Ｄ４５、フロアライト４６、タスクライト４７等を例に挙げて説明したが、本発明はこの例に限定されない。照明装置の光源はどのようなものであっても良いし、照明装置の配置位置も、どのような位置であっても良い。
【０１０１】
また、第１実施形態では、遮光装置として、図２および図３において、ブラインド５１を例に挙げて説明したが、本発明はこの例に限定されない。例えば、複数の遮光装置を備えて、それらを連動し、または、個別に制御しても良い。また、カーテン、ロールスクリーン、光の透過率を能動的、または、受動的に変更可能な窓素材なども、本実施形態の遮光装置として、同様に利用することができる。
【０１０２】
遮光装置としてロールスクリーンを用いる場合について以下に例示する。例えば、図３では、窓Ｗの内側にブラインド５１を設置する例を示したが、さらに、ブラインド５１の内側に、ロールスクリーンを設置する。このような場合、ロールスクリーンにおける輝度は、窓Ｗを介した直射日光を（ブラインド５１を介さずに）直接受けた場合には数千ｃｄ／ｍ２程度まで上がる。しかし、ブラインド５１を完全に閉めてしまえば、ロールスクリーンにおける輝度は、数十ｃｄ／ｍ２程度まで下がる。ただし、このロールスクリーンの表面において感じる明るさは、輝度のみに依らず、周辺環境の輝度に依存する。そこで、第１実施形態で説明したように、輝度画像から、人の知覚を表す明るさ画像を生成し、さらに、明るさ画像から明るさ尺度値および不足感Ｆを算出することにより、オフィスとして光が不足していると感じる程度を評価することができる。そして、評価結果に基づいてブラインド５１を制御することにより、ロールスクリーンにおける輝度を制御し、オフィス環境として適切な光環境（視環境）を確保することができる。
【０１０３】
さらに、このような場合に、明るさ画像に加えて、上述したグレア画像を生成することにより、まぶしさを感じる程度を評価し、評価結果に基づいてブラインド５１を制御することにより、ロールスクリーンに直射日光が当たりすぎないように調整することも可能である。
【０１０４】
また、第１実施形態において、コンピュータ１１のモニタ１９についても、本発明を同様に適用することができる。例えば、図４のフローチャートのステップＳ３において、見え方指標を算出する際に、モニタ１９の表示部分を、作業者による視対象として見え方指標を算出しても良い。また、図４のフローチャートのステップＳ６において制御内容を決定する際に、モニタ１９の表示における輝度や色味などを制御内容として決定しても良い。さらに、モニタ１９のように、バックライトによる表示を行う表示装置のみならず、電子ペーパーなどの、反射型の表示装置についても、本発明を同様に適用することができる。
【０１０５】
＜第２実施形態＞
以下、図面を用いて本発明の第２実施形態について説明する。第２実施形態は、第１実施形態の変形例である。第２実施形態では、第１実施形態と同様の部分については、第１実施形態と同様の符号を用いる。また、第２実施形態では、第１実施形態と異なる部分について説明する。
【０１０６】
図９は、第２実施形態の環境制御システムの構成例を示すブロック図である。第２実施形態では、所定の環境として、屋外の建物の外壁に設置されたモニタを含む環境における光環境を制御する環境制御システムを例に挙げて説明する。
【０１０７】
第２実施形態の環境制御システムは、第１実施形態の照明部４１に代えて照明部６１を有し、ブラインド５１に代えてモニタ７１を有する。
【０１０８】
コンピュータ１１およびカメラ３１の構成は第１実施形態と同様である。コンピュータ１１は、照明部６１と有線または無線で接続され、照明部６１の各部を制御する。また、コンピュータ１１は、入出力Ｉ／Ｆ１６を介して、モニタ７１に対して表示用のデータを出力する。
【０１０９】
照明部６１およびモニタ７１は、屋外の環境における光環境に影響を与える各装置である。
【０１１０】
照明部６１は、スポットＡ６２およびスポットＢ６３の各部を備える。なお、照明部６１の各部における照明の光量は、コンピュータ１１により制御可能である。モニタ７１は、広告などの表示を行うための表示装置である。
【０１１１】
上述した屋外の環境について、図１０および図１１を参照して説明する。
【０１１２】
図１０に示すように、建物の外壁にはモニタ７１が設置され、モニタ７１の左右上方にはスポットＡ６２およびスポットＢ６３が設置される。
【０１１３】
図１１は、図１０に示した環境の上部からの見取り図である。図１１に示すように、カメラ３１は、モニタ７１が設置された壁面の向かい側の壁面（例えば、向かい合わせに立つ建物の壁面など）に、モニタ７１に向かって配置される。
【０１１４】
カメラ３１は、図１０および図１１に示す屋外の環境における輝度情報に基づいて、輝度画像を取得する装置である。なお、本環境制御システムは、モニタ７１を目視する通行人などの視野における光環境を制御するためのものであるため、カメラ３１の配置位置および配置の向きは、上述した通行人の視野に準ずるものであることが好ましい。また、図１０は、カメラ３１により取得される輝度画像の画角に対応する屋外の環境の範囲を図示したものである。
【０１１５】
なお、モニタ７１に供給される（降り注ぐ）昼光は、時刻や天候の変化、季節の違いによって、その光量が時々刻々変化する。そのため、カメラ３１により取得される輝度画像は刻々と変化する。
【０１１６】
以上説明した構成の環境制御システムにおいて、ＣＰＵ１４は、第１実施形態の図４に示したフローチャートと同様の処理を行う。
【０１１７】
ただし、ステップＳ３においては、図１０および図１１に示した屋外の建物の外壁に設置されたモニタを含む環境を評価にするのに好適な見え方指標を算出し、ステップＳ４においては、上述した環境にふさわしい見え方に応じて評価を行えば良い。
【０１１８】
例えば、屋外環境に設置されたモニタ７１では、同じ輝度および色度の表示に対して、昼間はまぶしさや不快さを感じなくても、夜になると、まぶしさや不快さを感じることがある。これは、夜になると昼光（自然光）がなくなり、相対的にモニタ７１の表示が明るすぎてしまうためである。また、逆に、昼間に、強い昼光がモニタ７１に供給される（降り注ぐ）場合、モニタ７１に通常の表示を行っても、表示された内容が全く見えなくなる場合もある。
【０１１９】
そこで、ステップＳ３においては、モニタ７１の表示面の明るさに関する見え方指標を算出し、ステップＳ４においては、モニタ７１の表示内容が安定的に観察可能な見え方を目標値として評価を行えば良い。
【０１２０】
以上説明したように、第２実施形態によれば、屋外の環境であっても、第１実施形態と同様の効果を得ることができる。  
【０１２１】
なお、第２実施形態では、第１実施形態と同様に、環境制御システムに、２台以上のカメラを含む構成とし、複数のカメラにより取得した複数の輝度画像に基づいて、総合的な判定を行って光環境を制御しても良い。
【０１２２】
また、第２実施形態において、第１実施形態と同様に、太陽の日周運動に合わせてカメラ３１の向きを変更しても良い。また、カメラ３１がズーム機能を備える場合には、輝度画像の画角が適宜変化するように、ズーム処理を行っても良い。
【０１２３】
また、第２実施形態において、第１実施形態と同様に、図４のフローチャートのステップＳ２において、明るさ画像以外の見え方画像として、知覚色画像、グレア画像、視認性画像などを生成しても良い。また、見え方画像を生成する際に、明るさ画像、知覚色画像、グレア画像、視認性画像のうち、２種類以上の見え方画像を生成しても良い。
【０１２４】
また、第２実施形態では、屋外の環境の例として、図１０および図１１に示した環境を例示して説明を行ったが、本発明はこの例に限定されない。照明装置の組み合わせが異なる屋外の環境であっても良いし、庇などの遮光装置を含む屋外の環境であっても良い。いずれの場合も、図４のフローチャートのステップＳ３においては、その環境を評価にするのに好適な見え方指標を算出し、ステップＳ４においては、その環境にふさわしい見え方に応じて評価を行えば良い。
【０１２５】
また、第２実施形態では、照明装置として、図１０および図１１において、スポットＡ６２およびスポットＢ６３等を例に挙げて説明したが、本発明はこの例に限定されない。照明装置の光源はどのようなものであっても良いし、照明装置の配置位置も、どのような位置であっても良い。
【０１２６】
また、第２実施形態において、モニタ７１は、ＬＥＤなどのバックライトによる表示を行う表示装置であっても良いし、電子ペーパーなどの、反射型の表示装置であっても良い。
【０１２７】
また、第１実施形態では屋内の環境を例示し、第２実施形態では屋外の環境を例示して説明を行ったが、屋内と屋外との両方を含む環境の制御においても、本発明を同様に適用することができる。
【０１２８】
一般に、住宅の窓を挟んで、室内（屋内）から屋外を見る際の見え方と、屋外から室内を見る際の見え方は全く異なる。例えば、夜に、室内に照明を点けた場合、屋外からは室内の様子がよく見える。しかし、この場合には、室内から屋外はよく見えない。そこで、室内から屋外を見る際の見え方に基づいて光環境を制御する際には、室内から屋外を見る際の見え方画像を生成して評価を行い、屋外から室内を見る際の見え方に基づいて光環境を制御する際には、屋外から室内を見る際の見え方画像を生成して評価を行うことにより、目的に応じた好適な環境制御を行うことができる。
【０１２９】
また、環境制御プログラムも、本発明の具体的態様として有効である。この環境制御プログラムは、コンピュータにより読み取り可能な媒体に記憶されたものであっても良いし、Ｗｅｂ上のサーバなどに記憶され、インターネットを介してコンピュータにダウンロード可能なものであっても良い。上記した各実施形態で説明した照明装置、表示装置、遮光装置などと、各部を制御可能なコンピュータとを接続し、上述した環境制御プログラムをコンピュータにより実行することにより、上記した各実施形態で説明した環境制御システムと同様の処理を実現し、各実施形態と同様の効果を得ることができる。
【符号の説明】
【０１３０】
１１…コンピュータ、１４…ＣＰＵ、１９・７１…モニタ、２１…見え方画像生成部、２２…見え方指標算出部、２３…評価部、３１…カメラ、４１・６１…照明部、５１…ブラインド
【図１】
0005579649.tif 000004
【図２】
0005579649.tif 000005
【図３】
0005579649.tif 000006
【図４】
0005579649.tif 000007
【図５】
0005579649.tif 000008
【図６】
0005579649.tif 000009
【図７】
0005579649.tif 000010
【図８】
0005579649.tif 000011
【図９】
0005579649.tif 000012
【図１０】
0005579649.tif 000013
【図１１】
0005579649.tif 000014